(57)【要約】【課題】航空機や列車などの客室に設置する場合、座席数、配列および位置などの設置環境が多様であり、各座席の利用者に対して均等な表示サービスを提供することができない。【解決手段】情報の表示を行う表示パネル２１と、表示パネル２１の表示方向を変更する機構部２２と、複数の座席に関する表示パネル２１の利用にかかわる情報を入力する情報入力部５１と、情報入力部５１に入力された情報に基づいて表示パネル２１の表示方向を算出する算出部５２と、算出部５２の算出結果に基づいて機構部２２を動作させる制御部５３とを備える。【選択図】図１
2008309916.tif 000002
【特許請求の範囲】
【請求項１】
情報の表示を行う表示手段と、
前記表示手段の表示方向を変更する表示方向変更手段と、
複数の座席に関する前記表示手段の利用にかかわる情報を入力する座席情報入力手段と、
前記座席情報入力手段に入力された情報に基づいて前記表示手段の表示方向を算出する表示方向算出手段と、
前記表示方向算出手段の算出結果に基づいて前記表示方向変更手段を動作させる駆動手段と、
を備えたことを特徴とする表示装置。
【請求項２】
前記表示方向変更手段は、前記表示手段を少なくとも上下方向に角度を変える機構を備えたことを特徴とする請求項１に記載の表示装置。
【請求項３】
前記表示方向算出手段は、前記表示手段の上下方向の各視野角を計算条件としてさらに加えたことを特徴とする請求項２に記載の表示装置。
【請求項４】
前記複数の座席に関する前記表示手段の利用にかかわる情報は、前記表示方向に対して前後方向に複数の座席が配列された座席列に関し少なくとも前記表示手段と最も近い座席の位置と座席の間隔と座席数とを含むことを特徴とする請求項１から請求項３のいずれか１項に記載の表示装置。
【請求項５】
前記複数の座席に関する前記表示手段の利用にかかわる情報は、利用者の視認位置にかかわる情報をさらに含むことを特徴とする請求項４に記載の表示装置。
【請求項６】
前記複数の座席に関する前記表示手段の利用にかかわる情報の少なくともいずれかを自動的に検出する座席情報検出手段をさらに備えたことを特徴とする請求項１から請求項５のいずれか１項に記載の表示装置。
【請求項７】
前記座席情報検出手段は、前記複数の座席のうち、利用者が着席した座席に関する情報のみを自動的に検出することを特徴とする請求項６に記載の表示装置。
【請求項８】
前記表示手段は天吊り用または壁掛け用の表示パネルを有し、前記表示パネルに対向して少なくとも前後方向に配列された複数の座席に対し、前記表示パネルの表示方向を変更可能に構成したことを特徴とする請求項１から請求項７のいずれか１項に記載の表示装置。
【発明の詳細な説明】
【技術分野】
【０００１】
本発明は、航空機、列車などの客室内部に設置する天吊り型または壁掛け型の表示装置において、複数の座席に着席した利用者に対し、最適な利用環境を提供し、特に表示画面の角度を自動的に調整する表示装置に関する。
【背景技術】
【０００２】
航空機や列車などの客室に設置されたテレビ受像機などの表示装置は、従来、表示画面が固定されているのが一般的である。したがって、表示装置を客室に配列された座席に着席して利用者が表示された情報を視認する場合、座席の位置により表示画面を視認する条件が異なり、表示装置は各座席の利用者に対して均等な表示サービスを提供することができない。
【０００３】
これに対して、複数の座席に着席して表示装置を視聴する場合の表示方法に関し、近年、表示画面の角度を調整する機能を備えた車載用装置が提案されている（例えば、特許文献１参照）。この事例では、表示装置にアーム部と回動部を備え、表示ユニットを回動自在に支持することにより、操作者が指先などによりアーム部を操作することができる。したがって、操作者の判断により、座席に着座した乗員に対して、手動により表示ユニットを回動し、視認のための角度調整を行う。
【０００４】
また、表示画面の角度を自動的に調整する機能を備えた車載用装置が提案されている（例えば、特許文献２参照）。この事例では、着席センサーを備え、コンテンツ（カーナビゲーション情報、音楽、映画など）に応じてダッシュボード上に設置された表示モニターを水平方向に回転制御し、自動車内の各座席に対して、表示画面の角度を自動的に調整する。表示モニターの回転制御にかかわる情報は、予め、コンテンツ別に利用可能な座席を選別する特定のパターンが設定されており、ＲＯＭなどの記憶媒体に保存されている。
【特許文献１】特開２００１−１５７１４４号公報
【特許文献２】実開２００４−１４９０２４号公報
【発明の開示】
【発明が解決しようとする課題】
【０００５】
しかしながら、自動車搭載用の装置は、車内の座席の配列、位置および寸法が、車種にかかわりなくほぼ固定されており、航空機や列車などの客室とは利用の対象となる座席数、配列および位置などの設置環境が大きく異なる。特に、航空機や列車などを設置の対象とする汎用の表示装置を提供するためには、操作者の主観的な判断による手動操作や、座席数および配置を固定して予め設定されたパターンで表示画面の角度を制御する従来の方法では、座席数が多く配列も多様な客室において、各座席の利用者に対して均等な表示サービスを提供することができない。
【０００６】
本発明は、上記の課題を解決するためになされたものであり、表示装置が設置される客室において、座席数、配列および位置などに関する多様な設置環境に対応して、情報を表示する表示画面の表示方向を最適化することにより、客室の各座席の利用者に対して均等な表示サービスを提供する効果を発揮し、航空機や列車などに設置可能な汎用の表示装置を提供することを目的とする。
【課題を解決するための手段】
【０００７】
上述したような目的を達成するために、本発明の表示装置は、情報の表示を行う表示手段と、表示手段の表示方向を変更する表示方向変更手段と、複数の座席に関する表示手段の利用にかかわる情報を入力する座席情報入力手段と、座席情報入力手段に入力された情報に基づいて表示手段の表示方向を算出する表示方向算出手段と、表示方向算出手段の算出結果に基づいて表示方向変更手段を動作させる駆動手段とを備えたことを特徴とする。
【０００８】
このような構成により、航空機や列車などの座席数が多く、配列も多様な客室において、表示手段の表示角度を適切に設定することが可能となる。したがって、航空機や列車などにおいて、各座席の利用者に対して均等かつ適切な情報提供サービスを行うことのできる表示装置を実現することができる。
【０００９】
また、本発明の表示装置は、表示方向変更手段は、表示手段を少なくとも上下方向に角度を変える機構を備えてもよい。このような構成により、表示手段を収納部から動出させて表示方向を変えることが可能となり、各座席に対する表示手段の対向角度の調整を行うことができる。
【００１０】
また、本発明の表示装置では、表示方向算出手段は、表示手段の上下方向の各視野角を計算条件としてさらに加えてもよい。このような構成により、表示パネルの上下の視野角が異なる場合でも、各々のパラメータを入力することにより、利用者に最適なリトラクタブル角度を提供することができる。したがって、算出の精度を高め、表示装置の利用効果を高めることができる。
【００１１】
また、本発明の表示装置は、複数の座席に関する表示手段の利用にかかわる情報は、表示方向に対して前後方向に複数の座席が配列された座席列に関し少なくとも表示手段と最も近い座席の位置と座席の間隔と座席数とを含んでもよい。このような構成により、表示手段と対向する座席の位置および設置数にかかわる情報を入力することが可能となる。したがって、客室内の座席の設置条件に基づき、表示手段の角度を設定することができ、複数の座席に対して表示手段を適切な方向に設定し、利用者にとって快適な視聴環境を提供することができる。
【００１２】
また、本発明の表示装置は、複数の座席に関する表示手段の利用にかかわる情報は、利用者の視認位置にかかわる情報をさらに含んでもよい。このような構成により、利用者の視認位置にかかわる情報を入力することが可能となる。したがって、客室内の座席の設置条件および利用者の視認条件に基づき、表示手段の角度を設定することができ、表示手段の角度設定の精度を高め、利用者にとって快適な視聴環境を提供することができる。
【００１３】
また、本発明の表示装置は、複数の座席に関する表示手段の利用にかかわる情報の少なくともいずれかを自動的に検出する座席情報検出手段をさらに備えてもよい。このような構成により、客室内の座席および利用者の視認にかかわる情報の少なくとも一部を自動的に入力することが可能となる。したがって、表示手段の角度設定にかかわる操作を簡略化することができる。
【００１４】
また、本発明の表示装置では、座席情報検出手段は、複数の座席のうち、利用者が着席した座席に関する情報のみを自動的に検出してもよい。このような構成により、利用者が着席した座席に関する座席情報に基づき、表示手段の角度を設定することができ、表示手段の角度設定の効率および精度を高め、利用者にとってより快適な視聴環境を提供することができる。
【００１５】
また、本発明の表示装置では、表示手段は天吊り用または壁掛け用の表示パネルを有し、表示パネルに対向して少なくとも前後方向に配列された複数の座席に対し、表示パネルの表示方向を変更可能に構成してもよい。
【００１６】
これにより、本発明の表示装置を天吊り用または壁掛け用のモニター装置として利用することが可能となり、表示装置の利用範囲を拡大することができる。
【発明の効果】
【００１７】
本発明の表示装置によれば、航空機や列車などの客席に設置された場合に、座席数、配列および位置などに関する多様な設置条件に対し、表示画面の表示方向を、各座席に着席した利用者の見やすい角度に自動的に調整することができ、設置客室内のどの座席でも快適に表示情報を視認することができる。これにより、各座席の利用者に対して均等な表示サービスを提供することができる。
【発明を実施するための最良の形態】
【００１８】
以下、本発明の実施の形態について、図１〜図４を参照しながら説明する。
【００１９】
（実施の形態）
本発明の実施の形態では、航空機や列車などの客室に設置された表示装置を事例として説明する。
【００２０】
図１は、本発明の実施の形態における表示装置１を客室に設置した場合の表示装置１と客席との関係を示す主要配置図、図２は、本実施の形態における表示装置１のモニターの主要構成を示す側面図をそれぞれ示す。図１において、複数の座席からなる座席列の前後方向をＸ方向、床に対する高さ方向をＹ方向とし、ＸＹ面と垂直な方向をＺ方向（客席が複数の座席列からなる場合の左右方向：図示せず）とする。
【００２１】
本発明の実施の形態では、床３には各列に座席３１から座席３３が表示パネル２１の表示方向Ｂに対して前後方向（Ｘ方向）に設置され、左右方向に３席から６席の座席列が均等な間隔で配列された場合を対象としている。なお、客室の規模や座席の配列状況により、表示装置１の機能および性能に基づき表示パネル２１の配置場所を選定し、表示パネル２１が情報提供の対象とする座席列の数Ｍおよび各列の座席数Ｎの設定を行う。
【００２２】
本発明の実施の形態における表示装置１は、図１に示すように、装置本体１０および装置本体１０と配線１１により接続された天吊り型のモニター２０とを備えている。
【００２３】
モニター２０は、天井２に取り付けられ、例えば、床３に設置された座席数Ｎの座席列において、座席３１（１番目）、座席３２（２番目）、および座席３３（Ｎ番目）に対向して配置される。装置本体１０は、客室乗務員室に設置して直接操作する方法や、天井部に設置して遠隔操作を行う方法などにより、客室乗務員が使用することができる。また、装置本体１０は、受信部、入力部、再生部、操作部、記憶部、送信部など、客室に情報提供サービスを行うために必要な機構、回路、ＣＰＵおよびメモリーなど（いずれも、図示せず）を備えている。
【００２４】
また、図１、図２に示すように、モニター２０は、客室に情報提供サービスを行うための情報の表示を行う表示手段としての表示パネル２１、表示パネル２１の表示方向を変更する手段としての機構部２２、回路部２３および収納部２４とを備えている。
【００２５】
表示パネル２１は、表示装置１が動作していない場合は収納部２４に格納される。使用時には機構部２２が動作して収納部２４から外部に動出され、傾斜して保持される。これにより、客席に着席した利用者の視認位置３４から、無理のない角度で表示パネル２１を視聴することができる。また、表示パネル２１は、座席情報検出手段としての撮像センサー２８を備えており、各座席の位置など、複数の座席に関する表示パネル２１を利用するために必要な各種情報のうち少なくともいずれかを自動的に検出する機能を有している。
【００２６】
機構部２２は、回転軸２５、駆動用モータ２６および減速機構２７ａ、２７ｂ、２７ｃを備え、モータ２６を駆動することにより、減速機構２７ａ、２７ｂ、２７ｃを介して回転軸２５を中心として表示パネル２１を回動させ、少なくとも上下方向（Ｃ方向）に角度を変えることができる。駆動用モータ２６にはステッピングモータを使用することができ、減速機構２７ａ、２７ｂ、２７ｃは歯車機構などにより構成することができる。客室乗務員の開始操作により、客室において情報提供サービスが開始されると、天井２に取り付けられたモニター２０の表示パネル２１が回転駆動されて表示面Ａが天井２から下方向に突出して、客席に対向して表示方向Ｂ（表示面Ａの垂直方向）が所定の角度で傾斜した状態で保持される。情報提供サービスが終了すると、表示パネル２１は、モニター２０の収納部２４に収納される。
【００２７】
つぎに、回路部２３の構成と機能について説明する。回路部２３は、情報入力部５１、算出部５２、制御部５３、記憶部５４および管理部５５を備えている。
【００２８】
情報入力部５１は、表示装置１における座席情報入力手段として、複数の座席、例えば、座席３１、３２、３３、・・・に関し、表示パネル２１を利用するための情報を入力する機能を有する。表示パネル２１を利用するための情報としては、例えば、表示パネル２１の表示方向Ｂに対して前後方向（Ｘ方向）に複数の座席が配列された座席列に関し、少なくとも表示パネル２１と最も近い座席（一番前の座席３１）の位置Ｐ１と、座席の間隔ＰおよびＸ方向の座席数Ｎを入力し、複数の座席列を備えた客室に設置した場合には、さらに左右方向の座席列数Ｍおよび座席列間の間隔などを入力する。また、各座席における利用者（着席者）の視認位置３４、例えば、位置Ｓおよび高さＨｅを標準化して入力することにより、各座席に関するさらに詳細な情報を入力することができる。表示パネル２１に設けられた撮像センサー２８により検出された情報は、情報入力部５１に送信され、情報入力部５１で入力される。なお、客室の設計仕様から得られる座席に関する情報を手操作により情報入力部５１に入力することによっても同様の効果を発揮することができる。
【００２９】
算出部５２は、ＣＰＵその他の演算回路およびメモリーを備え、表示パネル２１の表示方向Ｂを算出する手段としての機能を有する。メモリーには角度算出用のアルゴリズムが予め記憶されており、情報入力部５１に入力された情報に基づいて表示パネル２１の表示方向を算出することができる。
【００３０】
制御部５３は、機構部２２を動作させる駆動手段としての機能を備え、算出部５２の算出結果に基づいて電気信号を出力し、モータ２６の駆動および制御を行い機構部２２を動作させることにより、表示パネル２１を収納部２４から動出させ、各座席列に対して所定の表示角度に設定することができる。なお、撮像センサー２８は、複数の座席のうち、画像認識などにより利用者が着席した座席に関する情報のみを自動的に検出する機能を備えており、制御部５３は客室における着席情報をもとに機構部２２の駆動制御を行い、利用者に対して表示パネル２１の表示角度を設定することができる。
【００３１】
記憶部５４は、ＲＯＭ（リード・オンリー・メモリー）などを備え、情報入力部５１に入力された情報および算出部５２における算出結果などの情報を保存し、算出部５２の要求に従い、必要な情報を提供することができる。
【００３２】
管理部５５は、情報入力部５１から受信した情報および記憶部５４から読み出した情報をもとに算出部５２で演算を行うのに必要な情報を整えて算出部５２に送信する他、算出部５２における算出結果に関する情報から必要な情報を選別して記憶部５４に保存する機能を有する。
【００３３】
つぎに、算出部５２における表示パネル２１の表示方向の算出方法について、図３により説明する。図３は、図１においてモニター２０における表示パネル２１の表示方向Ｂを算出する方法を示す説明図である。モニター２０が情報表示の対象とする各座席列（Ｘ方向）の座席数をＮとする。
【００３４】
表示パネル２１から最前列の座席までの間隔をＰ１、座席間隔（ピッチ）をＰ、天井の高さをＨ、利用者の眼の高さをＨｅ、視認位置の距離をＳ、表示パネル２１の上下方向の視野角をそれぞれθｕ、θｄとすると、表示パネル２１の上下の視野角の中間の角度が座席列の中央の座席に着席した利用者の眼の位置となるように表示パネル２１の表示角度θｒを設定すると、座席列に着席したすべての利用者に対して、最適な表示角度で情報提供サービスを行うことができる。
【００３５】
この場合、
ｔａｎ（θｒ＋（θｕ−θｄ）／２）＝（Ｐ１＋Ｐ×（Ｎ−１）／２＋Ｓ）／（Ｈ−Ｈｅ）
の関係が近似的に成り立つ。
【００３６】
したがって、
θｒ＋（θｕ−θｄ）／２＝ｃｏｔ（（Ｐ１＋Ｐ×（Ｎ−１）／２＋Ｓ）／（Ｈ−Ｈｅ））
θｒ＝ｃｏｔ（（Ｐ１＋Ｐ×（Ｎ−１）／２＋Ｓ）／（Ｈ−Ｈｅ））−（θｕ−θｄ）／２
となり、θｒを算出することができる。
【００３７】
この結果、表示装置１は、表示パネル２１の上下方向の各視野角および撮像センサー２８による各座席の着席の有無にかかわる検出情報を算出要件として、表示角度θｒの算出を行うことができ、算出の精度を高め、表示装置としての利用効果を高めている。
【００３８】
なお、表示パネル２１の寸法を算出条件に加えることにより、表示角度θｒの算出精度をさらに高めることができる。
【００３９】
つぎに、本発明の実施の形態における表示装置１の動作の手順について、図４により説明する。図４は、本実施の形態における表示装置１の動作の手順を示すフローチャートである。
【００４０】
図４に示すように、利用者が座席に着席したことを自動検知する方法や、客室乗務員が装置本体１０に設けられた電源ボタンを押すなどの操作により、表示装置１が動作を開始する（ステップ１：Ｓ１と略記する。以下、同様とする）。
【００４１】
表示装置１は、まず、座席情報の検出を行う。撮像センサー２８により、利用者が着席した座席にかかわる情報を検出し、検出した情報を情報入力部５１に送信し、情報入力部５１で受信した情報を入力し、必要な情報を記憶部５４に保存する（Ｓ２）。
【００４２】
つぎに、管理部５５では、情報入力部５１に入力された情報を確認するとともに、記憶部５４に保存された初期設定情報や使用履歴に基づく算出部５２の算出結果などの保存情報から必要な情報の読み出しを行い（Ｓ３）、入力情報と読み出し情報に基づいて、表示パネル２１の表示角度を算出するために必要な情報（表示角度算出情報）を作成し、算出部５２に送信する。初期設定情報としては、例えば、座席列の数Ｍ、各座席列における座席数Ｎ、各座席の間隔、利用者の標準視認位置など、表示装置１の設定時に入力した常時使用する情報が記憶部５４に保存されている（Ｓ４）。
【００４３】
つぎに、算出部５２は、受信した表示角度算出情報に基づき、表示パネル２１の表示角度を算出し、算出結果を制御部５３に送信する（Ｓ５）。
【００４４】
制御部５３は、算出部５２から受信した情報に基づき、機構部２２を制御するための情報を作成し（Ｓ６）、機構部２２に駆動制御情報を送信し、機構部２２の駆動および制御を行う（Ｓ７）。
【００４５】
機構部２２は制御部５３から受信した制御情報に基づき、表示パネル２１を回動させて収納部２４から動出し、算出部５２で算出した角度に設定し、設置角度を維持する（Ｓ８）。
【００４６】
表示パネル２１が情報提供の対象とする座席の着席状況が変化すると、撮像センサー２８が座席情報の変化を検知し、Ｓ２以降の動作を繰り返す（Ｓ９）。
【００４７】
座席情報に変化がない場合は、表示パネル２１の表示角度は一定に維持され、客室乗務員が装置本体１０に設けられた終了ボタンを押すなどの終了操作を行うと（Ｓ１０）、表示装置１は制御部５３が機構部２２に対して終了動作の指示を行い、機構部２２が動作して表示パネル２１を回動させて収納部２４に収納し（Ｓ１１）、表示装置１の動作を終了する（Ｓ１２）。
【００４８】
以上の通り、本発明の実施の形態における表示装置１によれば、客室における座席数、座席の配列および利用者の視認位置など、表示パネル２１の利用にかかわる情報を入力する座席情報入力手段と、座席情報入力手段に入力された情報に基づいて表示パネル２１の表示方向を算出する表示方向算出手段とを備えることにより、航空機や列車などの座席数が多く、配列も多様な客室において、表示パネル２１の表示角度を簡単かつ適切に設定することが可能となる。したがって、本発明の実施の形態における表示装置１により、航空機や列車などにおいて、機体や車両の種類が異なる場合や、客室内で座席のクラスによって対象座席数やピッチが異なる場合など、座席列の多様な配置や構成であっても、すべての利用者にとって快適な情報提供サービスを提供することができる。
【００４９】
また、表示パネル２１の上下の視野角が異なる場合でも、各々のパラメータを入力することにより、利用者に最適なリトラクタブル角度を提供することができる。
【００５０】
また、表示パネル２１の表示角度の算出は、表示装置１の設置時または客室における座席列の配置変更時にのみ座席情報を入力して算出すればよく、以降は、不揮発性メモリーに記憶し、起動時に読み取って使用することができ、操作時の負担が増加することがない。さらに、撮像センサー２８によりすべての座席情報を自動的に検出することにより、表示角度の算出のための操作を不要にすることができる。
【００５１】
また、上記撮像センサーは１つである必要はなく、必要に応じて複数個備えてもよい。さらに、座席情報を自動的に取得する方法としては、撮像センサーに限定されない。例えば、各座席に重量センサーを備え、乗客が座っているか否かをこの重量センサーで検知してもよい。
【００５２】
なお、表示パネル２１は、プラズマディスプレイパネルや液晶パネルなどの薄型の表示手段を用いて構成する方法が一般的であるが、ＣＲＴ、テレビ受像機その他のモニター装置を使用することができる。
【００５３】
また、本発明の実施の形態では表示装置１は、装置本体１０とモニター２０が分離されているが、装置本体１０とモニター２０を一体化することによっても、本発明の実施の形態における表示装置１と同様の効果を発揮することができる。
【００５４】
また、表示装置１は天吊り型モニターの形態をとっているが、壁掛け型モニターに対しても適用することができる。
【産業上の利用可能性】
【００５５】
以上のように、本発明による表示装置は、航空機や列車などにおいて各座席に均等な情報提供サービスを行うことのできる汎用、かつ、ヒューマンインタフェースに優れた表示装置として利用可能である。
【図面の簡単な説明】
【００５６】
【図１】本発明の実施の形態における表示装置と客席との関係を示す主要配置図
【図２】同表示装置のモニターの主要構成を示す側面図
【図３】同表示装置のモニターの表示方向の算出に関する説明図
【図４】同表示装置の動作の手順を示すフローチャート
【符号の説明】
【００５７】
１    表示装置
２    天井
３    床
１０    装置本体
１１    配線
２０    モニター（表示手段）
２１    表示パネル
２２    機構部
２３    回路部
２４    収納部
２５    回転軸
２６    モータ（駆動手段）
２７ａ，２７ｂ，２７ｃ    減速機構
２８    撮像センサー
３１，３２，３３    座席
３４    利用者（着席者）の視認位置
５１    情報入力部（座席情報入力手段）
５２    算出部（表示方向算出手段）
５３    制御部（表示方向変更手段）
５４    記憶部
５５    管理部
【図１】
2008309916.tif 000003
【図２】
2008309916.tif 000004
【図３】
2008309916.tif 000005
【図４】
2008309916.tif 000006